(57)【要約】【課題】装置間インタフェース規格における給電機能に関する差異を解消する。【解決手段】中継装置１００は、第１インタフェース仕様に適合する第１装置１０１と第１物理インタフェース１１１で通信可能に接続される第１コネクタ部６５と、第１インタフェース仕様と給電機能が異なりかつ信号伝送を共通化し得る第２インタフェース仕様に適合する第２装置１０２と第２物理インタフェース１１２で通信可能に接続される第２コネクタ部６６と、電源から供給される電力に基づいて、第２インタフェース仕様に適合する電力量を第２物理インタフェース１１２に含まれる給電ラインに給電する電力制御部６１と、第２物理インタフェース１１２に含まれる給電ライン以外の信号ラインと、第１物理インタフェース１１１に含まれる対応する信号ラインとの間で信号を中継する信号中継部６０と、を有する。【選択図】図１
2014146078.tif 000002
【特許請求の範囲】
【請求項１】
第１インタフェース仕様に適合する第１装置と第１物理インタフェースで通信可能に接続される第１コネクタ部と、
前記第１インタフェース仕様と給電機能が異なりかつ信号伝送を共通化し得る第２インタフェース仕様に適合する第２装置と第２物理インタフェースで通信可能に接続される第２コネクタ部と、
電源から供給される電力に基づいて、前記第２インタフェース仕様に適合する電力量を前記第２物理インタフェースに含まれる給電ラインに給電する電力制御部と、
前記第２物理インタフェースに含まれる給電ライン以外の信号ラインと、前記第１物理インタフェースに含まれる対応する信号ラインとの間で信号を中継する信号中継部と、
を備える中継装置。
【請求項２】
前記第１コネクタ部に接続される前記第１インタフェース仕様に適合する物理インタフェースの給電ラインを電気的に絶縁する遮断部、
を更に備える請求項１に記載の中継装置。
【請求項３】
前記第１インタフェース仕様は、ＨＤＭＩ（High Definition Multimedia Interface）（登録商標）であり、
前記第２インタフェース仕様は、ＭＨＬ（Mobile High definition Link）（登録商標）である、
請求項１又は２に記載の中継装置。
【請求項４】
前記第１インタフェース仕様は、ＭＨＬ（Mobile High definition Link）（登録商標）のバージョン２．０未満であり、
前記第２インタフェース仕様は、前記ＭＨＬ（登録商標）のバージョン２．０以上である、
請求項１又は２に記載の中継装置。
【請求項５】
前記第２装置と、
請求項１から４のいずれか１項に記載の中継装置と、
を有し、
前記第２装置は、雄型嵌合部を含み、
前記第２コネクタ部は、雌型嵌合部を含み、
前記第２装置の前記雄型嵌合部と前記中継装置の前記雌型嵌合部とが嵌合することにより、前記第２物理インタフェースを形成する、
インタフェースシステム。
【請求項６】
第１インタフェース仕様に適合する第１装置と、該第１インタフェース仕様と給電機能が異なりかつ信号伝送を共通化し得る第２インタフェース仕様に適合する第２装置との間でのインタフェース適合方法において、
電源から供給される電力に基づいて、前記第２インタフェース仕様に適合する電力量を前記第２装置に通信可能に接続される第２物理インタフェースに含まれる給電ラインに給電し、
前記第２物理インタフェースに含まれる給電ライン以外の信号ラインと、前記第１装置に通信可能に接続される第１物理インタフェースに含まれる対応する信号ラインとの間で信号を中継する、
ことを含むインタフェース適合方法。
【発明の詳細な説明】
【技術分野】
【０００１】
本発明は、ＨＤＭＩ（High Definition Multimedia Interface）（登録商標）、ＭＨＬ（Mobile High definition Link）、ＵＳＢ（Universal Serial Bus）等のような装置間インタフェース技術に関する。
【背景技術】
【０００２】
現在、テレビ、ビデオレコーダ、アンプ、パーソナルコンピュータ（ＰＣ）、携帯電話、スマートフォン等、様々な電化製品に、上述のような装置間インタフェースが搭載されている。以降、登録商標の表記を避けるため、ＨＤＭＩを第１ＭＩＦと表記し、ＭＨＬを第２ＭＩＦと表記する。第１ＭＩＦについては、下記非特許文献１において既定されている。例えば、テレビとビデオレコーダとの間が第１ＭＩＦで接続され、テレビが第１ＭＩＦシンクとして、ビデオレコーダが第１ＭＩＦソースとして動作する場合、１つのリモコンの操作により、ビデオレコードからのビデオ出力をテレビ映像として出力することができる。この場合、第１ＭＩＦソース及び第１ＭＩＦシンクが、標準言語としての、第１ＭＩＦで規定されているＣＥＣ（Consumer Electronics Control）メッセージ（コマンド）をやりとりする。
【先行技術文献】
【非特許文献】
【０００３】
【非特許文献１】Hitachi, Ltd., etc., "High-Definition Multimedia Interface Specification Version 1.3a", HDMI Licensing, LLC, November 10, 2006.
【発明の概要】
【発明が解決しようとする課題】
【０００４】
上述の第１ＭＩＦと同様の装置間インタフェースの規格として、第２ＭＩＦが存在する。第２ＭＩＦでは、第１ＭＩＦの給電ライン以外の信号ラインの仕様が踏襲されている。一方、第２ＭＩＦのバージョン２．０において、電源供給が５００ｍＡから９００ｍＡに拡張された。これにより、１つの装置間インタフェース規格（第２ＭＩＦ）であっても、バージョンに応じて、供給される電力仕様が異なる場合がある。更に、異なる装置間インタフェース規格（第１ＭＩＦと第２ＭＩＦ）であっても、信号ラインを共有できる場合がある。
【０００５】
従って、規格バージョンの差違（バージョン２．０以降とそれ未満）により同一の特定インタフェース規格を搭載する装置間を接続したとしても、正常に動作しない場合があり得る。例えば、９００ｍＡの給電を期待している第１装置に、５００ｍＡの給電に対応するバージョンに従う第２装置を接続させた場合、第１装置が電力不足で動作できず、第１装置及び第２装置は、正常に動作しない可能性がある。
【０００６】
一方、異なるインタフェース規格に対応する装置間を接続したとしても、信号ラインを共有させることで、両装置を正常に動作させることができる可能性がある。
【０００７】
本発明は、このような事情に鑑みてなされたものであり、装置間インタフェース規格における給電機能に関する差異を解消する技術を提供する。
【課題を解決するための手段】
【０００８】
本発明の各側面では、上述した課題を解決するために、それぞれ以下の構成を採用する。
【０００９】
第１の側面は、中継装置に関する。第１の側面に係る中継装置は、第１インタフェース仕様に適合する第１装置と第１物理インタフェースで通信可能に接続される第１コネクタ部と、第１インタフェース仕様と給電機能が異なりかつ信号伝送を共通化し得る第２インタフェース仕様に適合する第２装置と第２物理インタフェースで通信可能に接続される第２コネクタ部と、電源から供給される電力に基づいて、第２インタフェース仕様に適合する電力量を第２物理インタフェースに含まれる給電ラインに給電する電力制御部と、第２物理インタフェースに含まれる給電ライン以外の信号ラインと、第１物理インタフェースに含まれる対応する信号ラインとの間で信号を中継する信号中継部と、を有する。
【００１０】
第２の側面は、第１インタフェース仕様に適合する第１装置と、第１インタフェース仕様と給電機能が異なりかつ信号伝送を共通化し得る第２インタフェース仕様に適合する第２装置との間でのインタフェース適合方法に関する。第２の側面に係るインタフェース適合方法は、電源から供給される電力に基づいて、第２インタフェース仕様に適合する電力量を第２装置に通信可能に接続される第２物理インタフェースに含まれる給電ラインに給電し、第２物理インタフェースに含まれる給電ライン以外の信号ラインと、第１装置に通信可能に接続される第１物理インタフェースに含まれる対応する信号ラインとの間で信号を中継する、ことを含む。
【発明の効果】
【００１１】
上記各態様によれば、装置間インタフェース規格における給電機能に関する差異を解消する技術を提供することができる。
【図面の簡単な説明】
【００１２】
【図１】本発明の実施の形態に係る中継装置の構成例を概念的に示す図である。
【図２】第１実施形態におけるインタフェースシステムのシステム構成を外観的に示す図である。
【図３】第１実施形態におけるインタフェースシステムにおける各装置の構成の一部を概念的に示す図である。
【図４】第２実施形態におけるインタフェースシステムのシステム構成を外観的に示す図である。
【図５】第２実施形態におけるインタフェースシステムにおける各装置の構成の一部を概念的に示す図である。
【発明を実施するための形態】
【００１３】
以下、本発明の実施の形態について説明する。なお、以下に挙げる実施形態は例示であり、本発明は以下の実施形態の構成に限定されない。
【００１４】
図１は、本発明の実施の形態に係る中継装置１００の構成例を概念的に示す図である。図１に示されるように、中継装置１００は、第１インタフェース仕様に適合する第１装置１０１と第１物理インタフェース１１１で通信可能に接続される第１コネクタ部６５と、第１インタフェース仕様と給電機能が異なりかつ信号伝送を共通化し得る第２インタフェース仕様に適合する第２装置１０２と第２物理インタフェース１１２で通信可能に接続される第２コネクタ部６６と、電源から供給される電力に基づいて、第２インタフェース仕様に適合する電力量を第２物理インタフェース１１２に含まれる給電ラインに給電する電力制御部６１と、第２物理インタフェース１１２に含まれる給電ライン以外の信号ラインと、第１物理インタフェース１１１に含まれる対応する信号ラインとの間で信号を中継する信号中継部６０と、を有する。
【００１５】
中継装置１００において、第１コネクタ部６５、第２コネクタ部６６、信号中継部６０、及び電力制御部６１は、個々に又は複数組み合わされて、集積回路、ゲートアレイ、論理ゲート、アナログ回路のようなハードウェア要素として実現される。また、第１物理インタフェース１１１及び第２物理インタフェース１１２は、通信ケーブルであってもよいし、回路であってもよい。また、第１装置１０１及び第２装置１０２は、上記第１インタフェース仕様又は上記第２インタフェース仕様に適合した装置間インタフェース機能を有していれば、それらのその他の機能は制限されない。
【００１６】
また、本発明の実施の形態に係るインタフェース適合方法は、第１インタフェース仕様に適合する第１装置１０１と、第１インタフェース仕様と給電機能が異なりかつ信号伝送を共通化し得る第２インタフェース仕様に適合する第２装置１０２との間で、インタフェースを適合させる。本インタフェース適合方法は、電源から供給される電力に基づいて、第２インタフェース仕様に適合する電力量を第２装置１０２に通信可能に接続される第２物理インタフェース１１２に含まれる給電ラインに給電し、第２物理インタフェース１１２に含まれる給電ライン以外の信号ラインと、第１装置１０１に通信可能に接続される第１物理インタフェース１１１に含まれる対応する信号ラインとの間で信号を中継する、ことを含む。但し、本インタフェース適合方法に含まれる各工程は、順不同に逐次的に実行されてもよいし、同時に実行されてもよい。
【００１７】
このように、本実施形態では、第２インタフェース仕様に適合する第２装置１０２には、第２物理インタフェース１１２に含まれる給電ラインを介して、中継装置１００が電源から供給された電力に基づいて、給電される。一方、第２装置１０２に接続される第２物理インタフェース１１２に含まれる信号ラインと、第１インタフェース仕様に適合する第１装置１０１に接続される第１物理インタフェース１１１に含まれる対応する信号ラインとの間で、信号が中継される。
【００１８】
これにより、本実施形態によれば、相互に異なるインタフェース仕様に適合する第１装置１０１と第２装置１０２との間において、給電ライン以外の信号ラインを共通化させることができる。更に、本実施形態によれば第２装置１０２によりサポートされる第２インタフェース仕様に適合する電力量を中継装置１００から第２装置１０２へ給電することができる。従って、本実施形態によれば、装置間インタフェース規格における給電機能に関する差異を解消することができる。
【００１９】
以下、上述の実施形態について更に詳細を説明する。以下には、詳細実施形態として、第１実施形態を例示する。以下の詳細実施形態は、上述の中継装置１００及びインタフェース適合方法を、第１ＭＩＦと第２ＭＩＦとの間を仲介するクレードル型アダプタに適用した場合の例である。但し、上述の中継装置１００及びインタフェース適合方法は、第１ＭＩＦと第２ＭＩＦとの間を仲介するアダプタへの適用に限定されるものではなく、給電機能に関する差異が存在し得る様々な装置間インタフェース規格のアダプタに適用可能である。
【００２０】
［第１実施形態］
〔システム構成〕
図２は、第１実施形態におけるインタフェースシステム１のシステム構成を外観的に示す図である。第１実施形態におけるインタフェースシステム１は、図２に示されるように、ＭＩＦソース装置（以降、ＭＩＦソースと表記する）２、クレードル型アダプタ（以降、アダプタと表記する）４、ＭＩＦシンク装置（以降、ＭＩＦシンクと表記する）１Ａ、ＭＩＦシンク１Ｂ等を有する。アダプタ４は、上述の中継装置１００に相当する。
【００２１】
ＭＩＦソース２は、ＭＩＦシンク１Ａ又は１Ｂへメディアデータを送信する送信器である。第１実施形態では、ＭＩＦソース２は、第２ＭＩＦを搭載する。よって、例えば、ＭＩＦソース２は、第２ＭＩＦを搭載するハードディスク録画機やメディア中継装置である。メディア中継装置は、サーバ装置（図示せず）から提供される、映像及び音声の少なくとも一方を含むメディアデータに基づくメディア信号を第２ＭＩＦを介してＭＩＦシンク１Ａ又は１Ｂに送り、ＭＩＦシンク１Ａ又は１Ｂに当該映像及び音声の少なくとも一方を出力させる。メディアデータは、例えば、映画データ、写真データ、音楽データ等のようなデジタルデータである。なお、本実施形態は、ＭＩＦソース２の第２ＭＩＦに関わる機能以外の機能については制限しない。
【００２２】
本実施形態では、ＭＩＦソース２が搭載する第２ＭＩＦのバージョンは制限されない。ＭＩＦソース２は、図２に示されるように、雄型の第２ＭＩＦのコネクタである雄型嵌合部３を有し、この雄型嵌合部３を経由して第２ＭＩＦからの給電を受けることにより動作する。
【００２３】
アダプタ４は、第１ＭＩＦと第２ＭＩＦとの間の電力機能に関する差異を解消するために、ＭＩＦソース２へ電力を供給しつつ、ＭＩＦソース２とＭＩＦシンク１Ａとの間で信号を中継する。アダプタ４は、図２に示されるように、雌型の第２ＭＩＦの入力側コネクタである雌型嵌合部５Ａを有し、ＭＩＦソース２の雄型嵌合部３と雌型嵌合部５Ａとの嵌合により、ＭＩＦソース２と通信可能に接続する。即ち、本実施形態では、雄型嵌合部３及び雌型嵌合部５Ａの嵌合により、図１に示される第２物理インタフェース１１２が実現される。
【００２４】
更に、アダプタ４は、雌型の第１ＭＩＦの出力側コネクタである雌型嵌合部５Ｂを有する。アダプタ４は、この出力側の雌型嵌合部５Ｂに第１ＭＩＦケーブル９の雄型嵌合部が嵌合し、かつ、その第１ＭＩＦケーブル９がＭＩＦシンク１Ａに接続されることにより、ＭＩＦシンク１Ａと通信可能に接続する。即ち、本実施形態では、アダプタ４の出力側の雌型嵌合部５Ｂ、第１ＭＩＦケーブル９、ＭＩＦシンク１Ａの第１ＭＩＦケーブル９の接続部（図示せず）等により、図１に示される第１物理インタフェース１１１が実現される。
【００２５】
但し、本実施形態におけるアダプタ４は、雄型嵌合部３を有していないＭＩＦソース２と接続される場合には、第２ＭＩＦケーブルを介してそのＭＩＦソース２と接続されてもよい。また、アダプタ４は、出力側の雌型嵌合部５Ｂの代わりに、固着された第１ＭＩＦケーブルを有していてもよい。
【００２６】
アダプタ４は、電力供給ユニット６を含む電源線に接続され、電力供給ユニット６から直流電力を受ける。電力供給ユニット６は、例えば、ＡＣ−ＤＣコンバータを含み、家庭用コンセント等を介して交流電力を受け、その交流電力を直流電力に変換する。なお、アダプタ４は、装置内部に電力供給ユニット６を持つようにしてもよい。
【００２７】
ＭＩＦシンク１Ａ及び１Ｂは、ＭＩＦソース２から送信されるマルチメディアデータを受信する受信器である。例えば、ＭＩＦシンク１Ａ及び１Ｂは、テレビやアンプである。本実施形態では、ＭＩＦシンク１Ａは、第１ＭＩＦを搭載し、ＭＩＦシンク１Ｂは、第２ＭＩＦを搭載する。従って、ＭＩＦシンク１Ａは、第１ＭＩＦの給電ラインに最大５０ｍＡ給電し、ＭＩＦシンク１Ｂは、第２ＭＩＦの給電ラインに最大５００ｍＡ又は最大９００ｍＡ給電する。また、ＭＩＦソース２とＭＩＦシンク１Ｂとは、同じ装置間インタフェース規格（第２ＭＩＦ）に適合するため、アダプタ４を介することなく接続することができる。なお、本実施形態は、ＭＩＦシンク１Ａ及び１Ｂの第１ＭＩＦ又は第２ＭＩＦに関連する機能以外の機能については制限しない。
【００２８】
〔装置構成〕
図３は、第１実施形態におけるインタフェースシステム１における各装置の構成の一部を概念的に示す図である。なお、以下の説明では、各装置の第１ＭＩＦ又は第２ＭＩＦに関連する構成のみについて説明し、各装置は、図示されない他の構成を有することもできる。
【００２９】
《ＭＩＦソース２》
ＭＩＦソース２は、ＭＩＦ通信ユニット２１、電力制御部２２、ソースコネクタ２８等を有する。これら各構成は、個々に又は複数組み合わされて、ハードウェア要素として実現される。ソースコネクタ２８は、雄型嵌合部３を含み、第２ＭＩＦのピンアサインメントに対応する。第２ＭＩＦは５つのピンを用いる。５つのピンのうち、２つがデータ伝送に、１つが制御信号伝送に、残り２つが給電用に用いられる。
【００３０】
電力制御部２２は、ソースコネクタ２８を介して第２ＭＩＦの給電ラインから電力を受け、ＭＩＦソース２内の回路を動作させる。電力制御部２２の電力制御により、後述するＭＩＦ通信ユニット２１も動作する。電力制御部２２は、例えば、ＤＣ−ＤＣコンバータを含む。
【００３１】
ＭＩＦ通信ユニット２１は、ソースコネクタ２８を介して第２ＭＩＦの給電ライン以外の信号ラインで送信又は受信される信号を処理する。第２ＭＩＦの給電ライン以外の信号ラインには、第１ＭＩＦのＴＭＤＳ（Transition Minimized Differential Signaling）ラインと共通化可能なデータ伝送ラインと、第２ＭＩＦのＣＥＣ（Consumer Electronics Control）ライン、ＤＤＣ（Display Data Channel）ライン、ＨＰＤ（Hot Plug Detect）ライン等と共通化可能な制御信号伝送ラインとが規定されている。
【００３２】
ＭＩＦ通信ユニット２１は、トランスミッタ２５を含む。トランスミッタ２５は、ＭＩＦシンク１Ａに送信すべきメディアデータを差動信号に変換し、その差動信号をクロック信号と共にＴＭＤＳチャネルにより伝送する。第２ＭＩＦのＴＭＤＳクロックは、第１ＭＩＦのそれの数倍に設定されているため、第２ＭＩＦは、第１ＭＩＦよりも少ないＴＭＤＳチャネルで差動信号及びクロック信号を伝送することができる。このＴＭＤＳチャネルは一方向シリアル伝送チャネルである。
【００３３】
ＭＩＦ通信ユニット２１は、トランスミッタ２５に加えて、図示されていない信号処理部を更に含む。この信号処理部は、制御信号伝送ラインで伝送される制御信号（ＤＤＣラインやＣＥＣラインなどの信号）を処理する。ＤＤＣは、ＭＩＦソース２が、対向するＭＩＦシンク１Ａが有するＥ−ＥＤＩＤ（Enhanced Extended Display Identification Data）を読み出すために利用される伝送チャネルである。ＭＩＦシンク１ＡのＥ−ＥＤＩＤには、ＭＩＦシンク１Ａにおけるメディアデータの出力仕様等が含まれる。ＣＥＣラインは、ＭＩＦソース２とＭＩＦシンク１Ａとの間で制御用のデータを双方向で通信するための伝送ラインである。
【００３４】
《ＭＩＦシンク１Ａ》
ＭＩＦシンク１Ａは、ＭＩＦ通信ユニット１１、シンクコネクタ１５等を有する。これら各構成は、個々に又は複数組み合わされて、ハードウェア要素として実現される。シンクコネクタ１５は、第１ＭＩＦケーブル９と接続され、第１ＭＩＦのピンアサインメントに対応する。ＭＩＦのタイプＡは、１９個のピンを用いる。なお、ＭＩＦシンク１Ａは、独自に、電力供給ユニット等から給電される。
【００３５】
ＭＩＦ通信ユニット１１は、シンクコネクタ１５を介して第１ＭＩＦの信号ラインで送信又は受信される信号を処理する。第１ＭＩＦの信号ラインには、上述したように、ＴＭＤＳライン、ＣＥＣライン、ＤＤＣライン、ＨＰＤライン等が規定されている。これら信号ラインの内容については、上述したとおりである。
【００３６】
ＭＩＦ通信ユニット１１は、レシーバ１２を含む。レシーバ１２は、トランスミッタ２５により送信され、アダプタ４で中継された差動信号を、同様に伝送されるＴＭＤＳクロックを用いて受信する。ＭＩＦ通信ユニット１１は、ＭＩＦ通信ユニット２１と同様に、図示されていない、ＤＤＣラインやＣＥＣライン等の制御信号を処理する信号処理部を有する。
【００３７】
《アダプタ４》
アダプタ４は、トランシーバ４１、電力制御部４２、出力側コネクタ４６、入力側コネクタ４７等を有する。これら各構成は、個々に又は複数組み合わされて、ハードウェア要素として実現される。入力側コネクタ４７は、ＭＩＦソース２の雄型嵌合部３と嵌合して第２ＭＩＦの物理インタフェースを実現する雌型嵌合部５Ａを含む。出力側コネクタ４６は、第１ＭＩＦケーブル９の雄型嵌合部と嵌合する雌型嵌合部５Ｂを含み、第１ＭＩＦケーブル９及びシンクコネクタ１５と共に第１ＭＩＦの物理インタフェースを実現する。
【００３８】
電力制御部４２は、電力供給ユニット６から供給される直流電力を受け、この直流電力に基づいて、第２ＭＩＦに適合する電力量（９００ｍＡ・５Ｖ又は５００ｍＡ・５Ｖ）を入力側コネクタ４７を介して第２ＭＩＦの給電ラインに給電を行う。電力制御部４２は、例えば、ＤＣ−ＤＣコンバータを含む。電力制御部４２は、更に、当該直流電力に基づいて、トランシーバ４１も動作させる。
【００３９】
トランシーバ４１は、入力側コネクタ４７に接続される第２ＭＩＦの物理インタフェースの給電ライン以外の信号ラインと、出力側コネクタ４６に接続される第１ＭＩＦの物理インタフェースの対応する信号ラインとの間で信号を中継する。これにより、トランシーバ４１は、上述の実施形態における信号中継部６０に相当する。信号中継時に、トランシーバ４１は、ＭＩＦソース２とアダプタ４との間で減衰やノイズにより劣化した信号を増幅及び整形するようにしてもよい。このようにすれば、アダプタ４を、ＭＩＦのリピータとして動作させることができる。
【００４０】
上述したように、第１ＭＩＦと第２ＭＩＦとではピンアサインメントが異なる。即ち、入力側コネクタ４７の端子構成と、出力側コネクタ４６の端子構成とが異なる。よって、トランシーバ４１は、入力側コネクタ４７の端子と出力側コネクタ４６の端子との間で交換続を行う。
【００４１】
〔第１実施形態の作用及び効果〕
上述したように第１実施形態では、５００ｍＡ又は９００ｍＡの給電が規定された第２ＭＩＦに適合するＭＩＦソース２と、５０ｍＡの給電が規定された第１ＭＩＦに適合するＭＩＦシンク１Ａとが、アダプタ４を介して接続される。アダプタ４では、ＭＩＦソース２とアダプタ４との間を繋ぐ第２ＭＩＦの物理インタフェースの給電ライン以外の信号ラインと、ＭＩＦシンク１Ａとアダプタ４との間を繋ぐ第１ＭＩＦの物理インタフェースの対応する信号ラインとの間で信号が中継される。更に、ＭＩＦソース２とアダプタ４との間を繋ぐ第２ＭＩＦの物理インタフェースの給電ラインに、アダプタ４が独自に受けた直流電力に基づいて、アダプタ４により第２ＭＩＦに適合する電力量が供給される。これにより、独自に電源を持たないＭＩＦソース２は、ＭＩＦの給電ラインから受ける電力により動作することができる。
【００４２】
従って、第１実施形態によれば、装置間インタフェース規格が異なるＭＩＦソース２とＭＩＦシンク１Ａとの間をつなぐことができ、ひいては、ＭＩＦソース２により提供されるメディアデータに対応するメディア情報をＭＩＦシンク１Ａに出力させることができる。即ち、第１実施形態によれば、第１ＭＩＦと第２ＭＩＦとの間における給電機能に関する差異を解消することができる。
【００４３】
更に、ＭＩＦソース２とアダプタ４とは、ＭＩＦソース２のＭＩＦコネクタ（雄型嵌合部３）をアダプタ４のＭＩＦコネクタ（雌型嵌合部５Ａ）に差し込む形態で、通信可能に接続される。即ち、第１実施形態によれば、第１ＭＩＦケーブル９を用いなくても、ＭＩＦソース２とアダプタ４とを容易に接続させることができる。
【００４４】
一方で、第２ＭＩＦに適合するＭＩＦシンク１Ｂも存在し得る。本実施形態によれば、ＭＩＦソース２は、第２ＭＩＦに適合するため、第２ＭＩＦに適合するＭＩＦシンク１Ｂには、アダプタ４を介することなく直接接続することができる。このように、第１実施形態によれば、ＭＩＦソース２を、第１ＭＩＦに適合するＭＩＦシンク１Ａ、及び、第１ＭＩＦとは規格が異なる第２ＭＩＦに適合するＭＩＦシンク１Ａのどちらにも接続させることができる。
【００４５】
［第２実施形態］
上述の第１実施形態では、第１ＭＩＦと第２ＭＩＦという異なる装置間インタフェース規格における給電機能の差異が解消された。第２実施形態では、同じインタフェース規格（第２ＭＩＦ）における給電機能のバージョン差異が解消される。以下、第２実施形態におけるインタフェースシステム１について第１実施形態と異なる内容を中心に説明する。第１実施形態と同様の内容については適宜省略する。
【００４６】
〔システム構成〕
図４は、第２実施形態におけるインタフェースシステム１のシステム構成を外観的に示す図である。第２実施形態では、ＭＩＦソース２は、９００ｍＡの給電が規定された第２ＭＩＦのバージョン２．０以降に適合し、ＭＩＦシンク１Ｂは、５００ｍＡの給電が規定された第２ＭＩＦのバージョン２．０未満に適合する。これにより、第２実施形態におけるアダプタ４では、入力側コネクタである雌型嵌合部５Ａと出力側コネクタである雌型嵌合部５Ｂとは、同じ端子構成となる。
【００４７】
〔装置構成〕
図５は、第２実施形態におけるインタフェースシステム１における各装置の構成の一部を概念的に示す図である。図５の例に示されるように、アダプタ４の出力側コネクタ４６には、５００ｍＡの給電を行う給電ラインを含む第２ＭＩＦのバージョン２．０未満の物理インタフェースが接続される。
【００４８】
ＭＩＦシンク１Ｂの電力制御部５１は、第２ＭＩＦの給電ラインに給電する。しかしながら、ＭＩＦソース２は、第２ＭＩＦのバージョン２．０以上で規定される電力を必要としている。そこで、第２実施形態におけるアダプタ４は、出力側コネクタ４６に接続される物理インタフェースの給電ラインを絶縁し、電力供給ユニット６から供給される直流電力に基づいて、第２ＭＩＦのバージョン２．０以上に適合する電力量（９００ｍＡ・５Ｖ）を入力側コネクタ４７に接続される給電ラインに給電を行う。
【００４９】
具体的には、アダプタ４は、図５に示されるように、第１実施形態の構成に加えて、遮断部５５を更に有する。遮断部５５は、出力側コネクタ４６に接続される第２ＭＩＦの物理インタフェースの給電ラインを絶縁する。遮断部５５は、例えば、出力側コネクタ４６の、給電ラインに接合する端子位置に設けられ、ダイオードや絶縁体等で形成される。
【００５０】
〔第２実施形態の作用及び効果〕
このように、第２実施形態では、５００ｍＡの給電を規定する第２ＭＩＦのバージョン２．０未満に適合するＭＩＦシンク１Ｂからの給電がアダプタ４により遮断され、９００ｍＡの給電を規定する第２ＭＩＦのバージョン２．０以上に適合するＭＩＦソース２が必要とする電力がアダプタ４により別途給電される。これにより、第２実施形態によれば、同じインタフェース規格（第２ＭＩＦ）における給電機能のバージョン差異を解消することができる。
【符号の説明】
【００５１】
１  インタフェースシステム
２  ＭＩＦソース
３  雄型嵌合部
４  アダプタ
５Ａ，５Ｂ  雌型嵌合部
６  電力供給ユニット
８  交流電源
９  第１ＭＩＦケーブル
１１，２１  ＭＩＦ通信ユニット
１２  レシーバ
１５  シンクコネクタ
１Ａ，１Ｂ  ＭＩＦシンク
２２，４２，５１，６１  電力制御部
２５  トランスミッタ
２８  ソースコネクタ
４１  トランシーバ
４６  出力側コネクタ
４７  入力側コネクタ
５５  遮断部
６０  信号中継部
６５  第１コネクタ部
６６  第２コネクタ部
１００  中継装置
１０１  第１装置
１０２  第２装置
１１１  第１物理インタフェース
１１２  第２物理インタフェース
【図１】
2014146078.tif 000003
【図２】
2014146078.tif 000004
【図３】
2014146078.tif 000005
【図４】
2014146078.tif 000006
【図５】
2014146078.tif 000007